(57)【要約】    【課題】  遮水凸条と遮水凹条との嵌合面間に防水用背圧室を形成することにより、この嵌合面間の防水性能を強化する。この防水用背圧室の気密保持用構成としては、シール材の組み込みを省略する。    【解決手段】  遮水凸条６の凸条下部接当用部分２６に前記遮水凹条１１の凹条下部接当用部分２９を密着接当させる。遮水凸条６の凸条上部接当用部分２８に遮水凹条１１の凹条上部接当用部分３１を密着接当させる。記遮水凸条６の凸条中間部離間用部分２７に対して遮水凹条１１の凹条中間部離間用部分３０を離間させて、この離間空間を防水用背圧室３２として形成する。この防水用背圧室３２の室下端部３２ａは前記凸条下部接当用部分２６と凹条下部接当用部分２９との密着接当により閉止するとともに、この防水用背圧室３２の室上端部３２ｂは凸条上部接当用部分２８と凹条上部接当用部分３１との密着接当により閉止する。【選択図】      図２
2006138083.tif 000002
【特許請求の範囲】
【請求項１】
縦葺き型金属屋根板同士間の防水連結構造は、金属板製の屋根板(１)と、吊子(２)と、キャップ(３)とを備え、
屋根板(１)には、その左右の各側縁を折り上げて左右の各立上り連結縁(４)を形成し、この立上り連結縁(４)の一部に被係留部(５)を形成し、この立上り連結縁(４)の中間高さ部に遮水凸条(６)を屋根板(１)側へ膨曲させて形成し、
吊子(２)には、建物(23)の屋根壁(24)へ固定されるベース部(７)と、左右一対の係留部(８)とを形成し、
キャップ(３)には、その天板(９)の左右両側縁から左右一対の各側板(10)を折り下げて形成し、この左右の各側板(10)に内向きの遮水凹条(11)を横外向きに膨曲させ、
吊子(２)の左右の各横外側部に左右の両屋根板（１）（１）の各立上り連結縁(４)を配置し、各立上り連結縁(４)の被係留部(５)を吊子(２)の左右の各係留部(８)で上から受け止めるように構成し、
吊子(２)および左右の両立上り連結縁(４)に亘ってキャップ(３)を上から被せつけて、両立上り連結縁(４)の各遮水凸条(６)にキャップ(３)の左右の各遮水凹条(11)を外嵌させ、
て構成した縦葺き型金属屋根板同士間の防水連結構造において、
前記屋根板(１)の立上り連結縁(４)の遮水凸条(６)には、下から順に凸条下部接当用部分(26)・凸条中間部離間用部分(27)・および凸条上部接当用部分(28)を連続状に形成して成り、
前記キャップ(３)の側板(10)の遮水凹条(11)には、下から順に凹条下部接当用部分(29)・凹条中間部離間用部分(30)・および凹条上部接当用部分(31)を連続状に形成して成り、
前記遮水凸条(６)の凸条下部接当用部分(26)に前記遮水凹条(11)の凹条下部接当用部分(29)を密着接当させ、遮水凸条(６)の凸条上部接当用部分(28)に遮水凹条(11)の凹条上部接当用部分(31)を密着接当させ、
前記遮水凸条(６)の凸条中間部離間用部分(27)に対して遮水凹条(11)の凹条中間部離間用部分(30)を離間させて、この離間空間を防水用背圧室(32)として形成し、  この防水用背圧室(32)の室下端部(32a)は前記凸条下部接当用部分(26)と凹条下部接当用部分(29)との密着接当により閉止するとともに、この防水用背圧室(32)の室上端部(32ｂ)は前記凸条上部接当用部分(28)と凹条上部接当用部分(31)との密着接当により閉止するように構成した、
ことを特徴とする縦葺き型金属屋根板同士間の防水連結構造。
【請求項２】
請求項１に記載の縦葺き型金属屋根板同士間の防水連結構造において、
前記遮水凸条(６)の凸条下辺部分(6a)に凸条下部接当用部分(26)を形成するとともに、この遮水凸条(６)の凸条山頂部分(6b)に凸条上部接当用部分(28)を形成し、  前記遮水凹条(11)の凹条下辺部分(11a)に凹条下部接当用部分(29)を形成するとともに、この遮水凹条(11)の凹条谷底部分(11b)に凹条上部接当用部分(31)を形成した、
ことを特徴とする縦葺き型金属屋根板同士間の防水連結構造。
【請求項３】
請求項１または２に記載の縦葺き型金属屋根板同士間の防水連結構造において、
前記キャップ(３)の左右の各側板(10)の各遮水凹条(11)から各スカート(12)を横外側下方位置にまで延出させて、スカート(12)の下端縁(13)を屋根板(１)に弾圧接当させ、このスカート(12)と屋根板(１)と立上り連結縁(４)とで取り囲まれた内部に緩衝空間(14)を形成し、
前記スカート(12)の下端縁(13)と屋根板(１)との弾圧接当の反力で屋根板(１)に対してスカート(12)を介して遮水凹条(11)を押し上げて、この遮水凹条(11)の凹条下部接当用部分(29)を遮水凸条(６)の凸条下部接当用部分(26)に弾圧接当させ、
て構成したことを特徴とする縦葺き型金属屋根板同士間の防水連結構造。
【請求項４】
請求項２または３に記載の縦葺き型金属屋根板同士間の防水連結構造において、
前記遮水凸条(６)の凸条上辺部分(6c)に対して前記遮水凹条(11)の凹条上辺部分(11c)を離間用隙間(33)を空けて接当させないように構成した、
ことを特徴とする縦葺き型金属屋根板同士間の防水連結構造。
【請求項５】
請求項１・２・３または４に記載の縦葺き型金属屋根板同士間の防水連結構造において、
前記屋根板(１)の立上り連結縁(４)において、その連結縁下部(15)・連結縁中間高さ部(16)および連結縁上部(17)のうちの連結縁下部(15)は、これの上端部(15a)から下端部(15b)に近づくにつれて吊子(２)の横側面から次第に離れていく傾斜状に形成した、
ことを特徴とする縦葺き型金属屋根板同士間の防水連結構造。
【請求項６】
請求項１・２・３・４または５に記載の縦葺き型金属屋根板同士間の防水連結構造において、
前記吊子(２)の上半部の左右両側部に左右一対の各抜止め条(18)を形成し、前記キャップ(３)の左右一対の各側板(10)に各被抜止め条(19)を形成し、この各被抜止め条(19)を各抜止め条(18)で上から受け止めるように構成した、
ことを特徴とする縦葺き型金属屋根板同士間の防水連結構造。
【請求項７】
請求項２に従属する請求項６に記載の縦葺き型金属屋根板同士間の防水連結構造において、
前記遮水凸条(６)の凸条上部接当用部分(28)と遮水凹条(11)の凹条上部接当用部分(31)とが、前記凸条山頂部分(6b)と前記凹条谷底部分(11b)で接当している構成に対して、
前記吊子(２)の各抜止め条(18)の各横外側面(18a)と前記キャップ(３)の各側板(10)の各被抜止め条(19)の各横内側面(19a)とは、左右方向への遊動許容隙間(34)を隔てて対面させて、左右方向へ相対移動可能に構成した、
ことを特徴とする縦葺き型金属屋根板同士間の防水連結構造。
【請求項８】
請求項２・３・４・５・６または７に記載の縦葺き型金属屋根板同士間の防水連結構造において、
請求項２に記載の構成に変えて、
前記遮水凸条(６)の凸条下辺部分(6a)に凸条下部接当用部分(26)を形成するとともに、この遮水凸条(６)の凸条上辺部分(6c)に凸条上部接当用部分(28)を形成し、  前記遮水凹条(11)の凹条下辺部分(11a)に凹条下部接当用部分(29)を形成するとともに、この遮水凹条(11)の凹条上辺部分(11c)に凹条上部接当用部分(31)を形成した、
ことを特徴とする縦葺き型金属屋根板同士間の防水連結構造。
【請求項９】
請求項２・３・５・６・または７に記載の縦葺き型金属屋根板同士間の防水連結構造において、
前記遮水凸条(６)の凸条上辺部分(6c)は、下から順に凸条上位離間用部分(35)および凸条上位接当用部分(36)を連続状に形成して成り、
前記キャップ(３)の側板(10)の遮水凹条(11)の凹条上辺部分(11c)は、下から順に凹条上位離間用部分(37)および凹条上位接当用部分(38)を連続状に形成して成り、
前記遮水凸条(６)の凸条上位接当用部分(36)に前記遮水凹条(11)の凹条上位接当用部分(38)を密着接当させ、遮水凸条(６)の凸条上位離間用部分(35)に対して遮水凹条(11)の凹条上位離間用部分(37)を離間させて、この離間空間を上位防水用背圧室(39)として形成し、
この上位防水用背圧室(39)の室下端部(39a)は前記凸条上部接当用部分(28)と凹条上部接当用部分(31)との密着接当により閉止するとともに、この上位防水用背圧室(39)の室上端部(39b)は前記凸条上位接当用部分(36)と凹条上位接当用部分(38)との密着接当により閉止するように構成した、
ことを特徴とする縦葺き型金属屋根板同士間の防水連結構造。
【請求項１０】
請求項３・４・５・６・７・８または９に記載の縦葺き型金属屋根板同士間の防水連結構造において、
請求項３に記載の構成のうちの、前記スカート(12)の下端縁(13)を前記屋根板(１)に弾圧接当させる構成に代えて、
このスカート(12)の下端縁(13)を屋根板(１)から塵埃流出用隙間(21)を空けて浮かせて位置させ、この塵埃流出用隙間(21)の寸法は前記緩衝空間(14)の高さの１／３以下の狭い寸法に設定し、  この狭い塵埃流出用隙間(21)を介して緩衝空間(14)を屋根板(１)上の外部空間(22)に連通させて構成した、
ことを特徴とする縦葺き型金属屋根板同士間の防水連結構造。
【請求項１１】
請求項１・２・３・４・５・８・９または１０に記載の縦葺き型金属屋根板同士間の防水連結構造において、
前記吊子(２)の中間高さ部分に左右一対の各係止凸条(46)を左右両横外側へ向けて凸設し、  この吊子(２)の中間高さ部分の左右の各係止凸条(46)に前記屋根板(１)の左右の立上り連結縁(４)の各遮水凸条(６)を嵌合させて構成した、
ことを特徴とする縦葺き型金属屋根板同士間の防水連結構造。
【請求項１２】
請求項１１に記載の縦葺き型金属屋根板同士間の防水連結構造において、
前記吊子(２)の左右の各係止凸条(46)は横外向きの頂角(Θ1)が鋭角となる鋭角三角形状に形成し、この各係止凸条(46)の斜め上向き斜面(47)と斜め下向き斜面(48)とに、前記屋根板(１)の左右の各遮水凸条(６)の凸条上辺部分(6c)と凸条下辺部分(6a)とを嵌合させて構成した、
ことを特徴とする縦葺き型金属屋根板同士間の防水連結構造。
【請求項１３】
請求項１・２・３・４・５・８・９・または１０に記載の縦葺き型金属屋根板同士間の防水連結構造において、
前記屋根板(１)の左右の各遮水凸条(６)は、左右の各立上り連結縁(４)の上端縁から屋根板(１)側へ折り下げて形成し、  この各立上り連結縁(４)と各遮水凸条(６)との間に、雨水上昇反転空間(51)と雨水出入り隙間(52)とを上下に並べて形成し、
屋根板(１)上の雨水の一部は、風により立上り連結縁(４)側に吹き込まれて来たときに、立上り連結縁(４)に沿って吹き上げられて、雨水出入り隙間(52)から雨水上昇反転空間(51)にまで上昇してから反転して落下し、雨水出入り隙間(52)から屋根板(１)上へ落下して行くように構成した、
ことを特徴とする縦葺き型金属屋根板同士間の防水連結構造。
【発明の詳細な説明】
【技術分野】
【０００１】
本発明は、縦葺き型金属屋根板同士間の防水連結構造に関する。
【背景技術】
【０００２】
［前提構成］
本発明の縦葺き型金属屋根板同士間の防水連結構造は、例えば図１−図５、図１３、図２０（本発明）、図２５（従来技術１）、図２６（従来技術２）、または２７図（従来技術３）に示すように、次の前提構成を有するものを対象とする。
【０００３】
図１−図５は本発明の縦葺き型金属屋根板同士間の防水連結構造の実施形態１を示す。図１は要部取出し斜視図である。図２（Ａ）は要部の縦断正面図。図２（Ｂ）は図２（Ａ）のＢ部拡大図。図３は図２のIII−III線断面矢視図。図４は図２（Ａ）の分解正面図。図５は建物の屋根壁に金属板製屋根板を取り付けていく途中の一部の斜視図である。
【０００４】
図１３は本発明の実施形態８を示し、図１３（Ａ）は要部の縦断正面図、図１３（Ｂ）は図１３（Ａ）のＢ部拡大図である。  図２０は本発明の実施形態１２を示し図２０（Ａ）は要部の縦断正面図、図２０（Ｂ）は図２０（Ａ）のＢ部拡大図である。
【０００５】
図２５は従来技術１を示す、縦葺き型金属屋根板同士間の防水連結構造の要部の縦断正面図。  図２６は従来技術２を示す要部の縦断正面図。  図２７は従来技術３を示す要部の縦断正面図である。
【０００６】
縦葺き型金属屋根板同士間の防水連結構造は、金属板製の屋根板(１)と、吊子(２)と、キャップ(３)とを備える。
屋根板(１)には、その左右の各側縁を折り上げて左右の各立上り連結縁(４)を形成する。この立上り連結縁(４)の一部に被係留部(５)を形成する。この立上り連結縁(４)の中間高さ部に遮水凸条(６)を屋根板(１)側へ膨曲させて形成する。
【０００７】
吊子(２)には、建物(23)の屋根壁(24)へ固定されるベース部(７)と、左右一対の係留部(８)とを形成する。
キャップ(３)には、その天板(９)の左右両側縁から左右一対の各側板(10)を折り下げて形成する。この左右の各側板(10)に内向きの遮水凹条(11)を横外向きに膨曲させる。
【０００８】
吊子(２)の左右の各横外側部に左右の両屋根板（１）（１）の各立上り連結縁(４)を配置し、各立上り連結縁(４)の被係留部(５)を吊子(２)の左右の各係留部(８)で上から受け止めるように構成する。
吊子(２)および左右の両立上り連結縁(４)に亘ってキャップ(３)を上から被せつけて、両立上り連結縁(４)の各遮水凸条(６)にキャップ(３)の左右の各遮水凹条(11)を外嵌させたものである。
【０００９】
［従来の技術］
上記前提構成において、前記屋根板(１)の立上り連結縁(４)の遮水凸条(６)とキャップ(３)の側板(10)の遮水凹条(11)との嵌合面間において雨水の通過を防ぐための構成として、従来技術では次のものがある。
【００１０】
従来技術１．  図２５参照．  （特許３４４３０７５号公報）
従来技術２．  図２６参照．  （特許３４２３６７１号公報）
従来技術３．  図２７参照．  （特許３３７１１０６号公報）
【００１１】
図２５は従来技術１を示す、縦葺き型金属屋根板同士間の防水連結構造の要部の縦断正面図。  図２６は従来技術２を示す要部の縦断正面図。  図２７は従来技術３を示す要部の縦断正面図である。
【００１２】
これらの従来技術１・従来技術２および従来技術３は、本特許出願の発明者が発明して特許されたものであり、前記屋根板(１)の立上り連結縁(４)の遮水凸条(６)にキャップ(３)の側板(10)の遮水凹条(11)を外嵌させて密着接当させたものである。
【００１３】
［従来技術の問題点］
これらの従来技術１・従来技術２および従来技術３では、次の問題がある。
強風雨や暴風雨が長く激しく続く場合において、強風雨が激しく衝撃的に繰り返し吹き付けてくる悪い条件下においては、その雨水が遮水凸条(６)と遮水凹条(10)との嵌合面間を通り抜けて、建物の屋根壁内へ侵入して雨漏りを惹き起こすおそれがある。
【００１４】
【特許文献１】特許３４４３０７５号公報
【特許文献２】特許３４２３６７１号公報
【特許文献３】特許３３７１１０６号公報
【発明の開示】
【発明が解決しようとする課題】
【００１５】
本発明の課題は、主として次のようにすることにある。
［イ］．  前記遮水凸条と遮水凹条との嵌合面間に防水用背圧室を形成することにより、強風雨が激しく衝撃的に繰り返し吹き付けてくる悪い条件下においても、遮水凸条と遮水凹条との嵌合面間の上記防水用背圧室が、この室内圧の雨水侵入による急速な圧力上昇することにより、遮水凸条と遮水凹条との嵌合面間の防水性能を強化して、建物の屋根壁内への雨漏りを強力に防止する。
【００１６】
［ロ］．  防水用背圧室の高くなった室内圧を保持するための気密保持用構成としては、シール材の組み込みを省略できるようにすることにより、シール材の部品コストと組付けコストを省略してその製造コストを引き下げるうえ、シール材の材質面からの経年劣化による耐久性の低下をも無くす。
【００１７】
［ハ］．  遮水凸条と遮水凹条とが上下方向に位置ずれしたときでも、防水用背圧室の雨水侵入により上昇した室内圧を安定良く保持して、上記課題［イ］の雨漏り防止性能を安定良く保持する。
［ニ］．  大気中から前記遮水凸条と遮水凹条との嵌合面間の防水用背圧室に至る前に緩衝用空間を形成することにより、防水用背圧室に到るまでの防水性能を向上させる。
【課題を解決するための手段】
【００１８】
本発明の縦葺き型金属屋根板同士間の防水連結構造は、上記前提構成において、上記課題を解決するために、例えば図１−図５、図６、図７、図８、図１０、図１３、または図２０に例示するように、前記屋根板(１)の立上り連結縁(４)の遮水凸条(６)とキャップ(３)の側板(10)の遮水凹条(11)との嵌合面間において雨水の通過を防ぐための構成として、次の特徴構成を追加したことを特徴とする。
【００１９】
図１−図５は本発明の縦葺き型金属屋根板同士間の防水連結構造の実施形態１を示す。図１は要部取出し斜視図である。図２（Ａ）は要部の縦断正面図。図２（Ｂ）は図２（Ａ）のＢ部拡大図。図３は図２のIII−III線断面矢視図。図４は図２（Ａ）の分解正面図。図５は建物の屋根壁に金属板製屋根板を取り付けていく途中の一部の斜視図である。
【００２０】
図６は本発明の実施形態２を示し、図６（Ａ）は縦葺き型金属屋根板同士間の防水連結構造の要部の縦断正面図、図６（Ｂ）は図６（Ａ）のＢ部拡大図である。  図７は本発明の実施形態３を示し、縦葺き型金属屋根板同士間の防水連結構造の遮水凸条６および遮水凹条１１の嵌合部分の拡大図であり、図２（Ｂ）に対応する図である。
【００２１】
図８は本発明の実施形態４を示し、縦葺き型金属屋根板同士間の防水連結構造の遮水凸条６および遮水凹条の嵌合部分の拡大図であり、図２（Ｂ）に対応する図である。  図１０は本発明の実施形態６を示し、図１０（Ａ）は縦葺き型金属屋根板同士間の防水連結構造の要部の縦断正面図、図１０（Ｂ）は図１０（Ａ）のＢ部拡大図である。
【００２２】
図１３は本発明の実施形態８を示し、図１３（Ａ）は要部の縦断正面図、図１３（Ｂ）は図１３（Ａ）のＢ部拡大図である。  図２０は本発明の実施形態１２を示し、図２０（Ａ）は要部の縦断正面図、図２０（Ｂ）は図２０（Ａ）のＢ部拡大図である。
【００２３】
○  請求項１の発明．  図２参照．
前記屋根板(１)の立上り連結縁(４)の遮水凸条(６)には、下から順に凸条下部接当用部分(26)・凸条中間部離間用部分(27)・および凸条上部接当用部分(28)を連続状に形成して成る。
前記キャップ(３)の側板(10)の遮水凹条(11)には、下から順に凹条下部接当用部分(29)・凹条中間部離間用部分(30)・および凹条上部接当用部分(31)を連続状に形成して成る。
【００２４】
前記遮水凸条(６)の凸条下部接当用部分(26)に前記遮水凹条(11)の凹条下部接当用部分(29)を密着接当させる。遮水凸条(６)の凸条上部接当用部分(28)に遮水凹条(11)の凹条上部接当用部分(31)を密着接当させる。
【００２５】
前記遮水凸条(６)の凸条中間部離間用部分(27)に対して遮水凹条(11)の凹条中間部離間用部分(30)を離間させて、この離間空間を防水用背圧室(32)として形成する。  この防水用背圧室(32)の室下端部(32a)は前記凸条下部接当用部分(26)と凹条下部接当用部分(29)との密着接当により閉止するとともに、この防水用背圧室(32)の室上端部(32ｂ)は前記凸条上部接当用部分(28)と凹条上部接当用部分(31)との密着接当により閉止するように構成した。
【００２６】
○  請求項２の発明．  図２参照．
この請求項２の発明は、上記請求項１の発明において、次の特徴構成を追加したことを特徴とする。
【００２７】
前記遮水凸条(６)の凸条下辺部分(6a)に凸条下部接当用部分(26)を形成するとともに、この遮水凸条(６)の凸条山頂部分(6b)に凸条上部接当用部分(28)を形成する。  前記遮水凹条(11)の凹条下辺部分(11a)に凹条下部接当用部分(29)を形成するとともに、この遮水凹条(11)の凹条谷底部分(11b)に凹条上部接当用部分(31)を形成した。
【００２８】
○  請求項３の発明．  図２参照．
この請求項３の発明は、上記請求項１または２の発明において、次の特徴構成を追加したことを特徴とする。
【００２９】
前記キャップ(３)の左右の各側板(10)の各遮水凹条(11)から各スカート(12)を横外側下方位置にまで延出させて、スカート(12)の下端縁(13)を屋根板(１)に弾圧接当させる。このスカート(12)と屋根板(１)と立上り連結縁(４)とで取り囲まれた内部に緩衝空間(14)を形成する。
【００３０】
前記スカート(12)の下端縁(13)と屋根板(１)との弾圧接当の反力で屋根板(１)に対してスカート(12)を介して遮水凹条(11)を押し上げて、この遮水凹条(11)の凹条下部接当用部分(29)を遮水凸条(６)の凸条下部接当用部分(26)に弾圧接当させる。
【００３１】
○  請求項４の発明．  図２参照．
この請求項４の発明は、上記請求項２または３の発明において、次の特徴構成を追加したことを特徴とする。
【００３２】
前記遮水凸条(６)の凸条上辺部分(6c)に対して前記遮水凹条(11)の凹条上辺部分(11c)を離間用隙間(33)を空けて接当させないように構成した。
【００３３】
○  請求項５の発明．  図６参照．
この請求項５の発明は、上記請求項１・２・３・または４の発明において、次の特徴構成を追加したことを特徴とする。
【００３４】
前記屋根板(１)の立上り連結縁(４)において、その連結縁下部(15)・連結縁中間高さ部(16)および連結縁上部(17)のうちの連結縁下部(15)は、これの上端部(15a)から下端部(15b)に近づくにつれて吊子(２)の横側面から次第に離れていく傾斜状に形成した。
【００３５】
○  請求項６の発明．  図２参照．
この請求項６の発明は、上記請求項１・２・３・４・または５の発明において、次の特徴構成を追加したことを特徴とする。
【００３６】
前記吊子(２)の上半部の左右両側部に左右一対の各抜止め条(18)を形成する。前記キャップ(３)の左右一対の各側板(10)に各被抜止め条(19)を形成する。この各被抜止め条(19)を各抜止め条(18)で上から受け止めるように構成した。
【００３７】
○  請求項７の発明．  図２参照．
この請求項７の発明は、上記請求項６の発明において、次の特徴構成を追加したことを特徴とする。
【００３８】
前記遮水凸条(６)の凸条上部接当用部分(28)と遮水凹条(11)の凹条上部接当用部分(31)とが、前記凸条山頂部分(6b)と前記凹条谷底部分(11b)で接当している構成に対して、
前記吊子(２)の各抜止め条(18)の各横外側面(18a)と前記キャップ(３)の各側板(10)の各被抜止め条(19)の各横内側面(19a)とは、左右方向への遊動許容隙間(34)を隔てて対面させて、左右方向へ相対移動可能に構成した。
【００３９】
○  請求項８の発明．  図７参照．
この請求項８の発明は、上記請求項２・３・４・５・６・または７の発明において、次の特徴構成を追加したことを特徴とする。
【００４０】
請求項２に記載の構成に変えて、
前記遮水凸条(６)の凸条下辺部分(6a)に凸条下部接当用部分(26)を形成するとともに、この遮水凸条(６)の凸条上辺部分(6c)に凸条上部接当用部分(28)を形成し、  前記遮水凹条(11)の凹条下辺部分(11a)に凹条下部接当用部分(29)を形成するとともに、この遮水凹条(11)の凹条上辺部分(11c)に凹条上部接当用部分(31)を形成した。
【００４１】
○  請求項９の発明．  図８参照．
この請求項９の発明は、上記請求項２・３・５・６・または７の発明において、次の特徴構成を追加したことを特徴とする。
【００４２】
前記遮水凸条(６)の凸条上辺部分(6c)は、下から順に凸条上位離間用部分(35)および凸条上位接当用部分(36)を連続状に形成して成る。
前記キャップ(３)の側板(10)の遮水凹条(11)の凹条上辺部分(11c)は、下から順に凹条上位離間用部分(37)および凹条上位接当用部分(38)を連続状に形成して成る。
【００４３】
前記遮水凸条(６)の凸条上位接当用部分(36)に前記遮水凹条(11)の凹条上位接当用部分(38)を密着接当させる。遮水凸条(６)の凸条上位離間用部分(35)に対して遮水凹条(11)の凹条上位離間用部分(37)を離間させて、この離間空間を上位防水用背圧室(39)として形成する。
【００４４】
この上位防水用背圧室(39)の室下端部(39a)は前記凸条上部接当用部分(28)と凹条上部接当用部分(31)との密着接当により閉止するとともに、この上位防水用背圧室(39)の室上端部(39b)は前記凸条上位接当用部分(36)と凹条上位接当用部分(38)との密着接当により閉止するように構成した。
【００４５】
○  請求項１０の発明．  図１０参照．
この請求項１０の発明は、上記請求項３・４・５・６・７・８・または９の発明において、その一部を次のように変更したことを特徴とする。
【００４６】
請求項３に記載の構成のうちの、前記スカート(12)の下端縁(13)を前記屋根板(１)に弾圧接当させる構成に代えて、
このスカート(12)の下端縁(13)を屋根板(１)から塵埃流出用隙間(21)を空けて浮かせて位置させ、この塵埃流出用隙間(21)の寸法は前記緩衝空間(14)の高さの１／３以下の狭い寸法に設定し、  この狭い塵埃流出用隙間(21)を介して緩衝空間(14)を屋根板(１)上の外部空間(22)に連通させて構成した。
【００４７】
○  請求項１１の発明．  図１３参照．
この請求項１１の発明は、上記請求項１・２・３・４・５・８・９・または１０の発明において、次の特徴構成を追加したことを特徴とする。
【００４８】
前記吊子(２)の中間高さ部分に左右一対の各係止凸条(46)を左右両横外側へ向けて凸設する。  この吊子(２)の中間高さ部分の左右の各係止凸条(46)に前記屋根板(１)の左右の立上り連結縁(４)の各遮水凸条(６)を嵌合させて構成した。
【００４９】
○  請求項１２の発明．  図１３参照．
この請求項１２の発明は、上記請求項１１の発明において、次の特徴構成を追加したことを特徴とする。
【００５０】
前記吊子(２)の左右の各係止凸条(46)は横外向きの頂角(Θ1)が鋭角となる鋭角三角形状に形成する。この各係止凸条(46)の斜め上向き斜面(47)と斜め下向き斜面(48)とに、前記屋根板(１)の左右の各遮水凸条(６)の凸条上辺部分(6c)と凸条下辺部分(6a)とを嵌合させて構成した。
【００５１】
○  請求項１３の発明．  図２０参照．
この請求項１３の発明は、上記請求項１・２・３・４・５・８・９・または１０の発明において、次の特徴構成を追加したことを特徴とする。
【００５２】
前記屋根板(１)の左右の各遮水凸条(６)は、左右の各立上り連結縁(４)の上端縁から屋根板(１)側へ折り下げて形成する。  この各立上り連結縁(４)と各遮水凸条(６)との間に、雨水上昇反転空間(51)と雨水出入り隙間(52)とを上下に並べて形成する。
【００５３】
屋根板(１)上の雨水の一部は、風により立上り連結縁(４)側に吹き込まれて来たときに、立上り連結縁(４)に沿って吹き上げられて、雨水出入り隙間(52)から雨水上昇反転空間(51)にまで上昇してから反転して落下し、雨水出入り隙間(52)から屋根板(１)上へ落下して行くように構成した。
【発明の効果】
【００５４】
本発明の縦葺き型金属屋根板同士間の防水連結構造は、つぎの効果を奏する。
○  請求項１の発明．  図２参照．
［  効果イ．  強く長く続く強風雨が激しく衝撃的に繰り返し吹き付けてくる悪い条件下においても、防水用背圧室(32)内の室内圧(P1)は、ごく少量の雨水の侵入によって急速に圧力上昇して、下側密着接当箇所(56)から防水用背圧室(32)へのそれ以上の雨水侵入を強力に防止することから、その雨水が遮水凸条(６)と遮水凹条(11)との嵌合面間を通って、建物(23)の屋根壁(24)内に侵入して雨漏りを惹き起こすことを、強力に防止することができる。  ］
【００５５】
請求項１の発明は、つぎの特徴構成を有する。
前記屋根板(１)の立上り連結縁(４)の遮水凸条(６)には、下から順に凸条下部接当用部分(26)・凸条中間部離間用部分(27)・および凸条上部接当用部分(28)を連続状に形成して成る。
前記キャップ(３)の側板(10)の遮水凹条(11)には、下から順に凹条下部接当用部分(29)・凹条中間部離間用部分(30)・および凹条上部接当用部分(31)を連続状に形成して成る。
【００５６】
前記遮水凸条(６)の凸条下部接当用部分(26)に前記遮水凹条(11)の凹条下部接当用部分(29)を密着接当させる。遮水凸条(６)の凸条上部接当用部分(28)に遮水凹条(11)の凹条上部接当用部分(31)を密着接当させる。
【００５７】
前記遮水凸条(６)の凸条中間部離間用部分(27)に対して遮水凹条(11)の凹条中間部離間用部分(30)を離間させて、この離間空間を防水用背圧室(32)として形成する。  この防水用背圧室(32)の室下端部(32a)は前記凸条下部接当用部分(26)と凹条下部接当用部分(29)との密着接当により閉止するとともに、この防水用背圧室(32)の室上端部(32ｂ)は前記凸条上部接当用部分(28)と凹条上部接当用部分(31)との密着接当により閉止するように構成した。
【００５８】
この特徴構成から、次のように作用する。
強風雨時や暴風雨時には、雨水は強風で屋根板(１)上を勢い良く吹き流され、屋根板(１)の連結縁(４)の遮水凸条(６)とキャップ(３)の側板(10)の遮水凹条(11)との嵌合面間を上向きに押し流されようとする。
【００５９】
この上向きに押し流されようとする雨水は、凸条下部接当用部分(26)と凹条下部接当用部分(29)との密着接当により、この下部密着接当箇所(56)で殆んど遮断される。
強風雨が激しく強く長く続く場合には、その強風雨の激しく強い衝撃的な吹き付けが繰り返されることにより、この雨水がその下側密着接当箇所(56)の封止を突き破って、防水用背圧室(32)に侵入して来ることがある。
【００６０】
しかし、比較的狭く形成された防水用背圧室(32)は、ごく少量の雨水の侵入量に比例して、室内空気層が急速に圧縮され、この圧力上昇する室内空気が凸条上部接当用部分(28)と凹条上部接当用部分(31)との密着接当により、この上部密着接当箇所(57)で殆んど密封されているため、防水用背圧室(32)の室内圧(P1)が急速に圧力上昇していく。
【００６１】
この急速に圧力上昇した室内圧(P1)は、防水用背圧室(32)に侵入した雨水を下側密着接当箇所(56)から大気側へ押し出す力として作用するため、この下側密着接当箇所(56)から防水用背圧室(32)へ雨水がさらに侵入してくることを、強力に防止する。
【００６２】
以上により、強く長く続く強風雨が激しく衝撃的に繰り返し吹き付けてくる悪い条件下においても、防水用背圧室(32)内の室内圧(P1)は、ごく少量の雨水の侵入によって急速に圧力上昇して、下側密着接当箇所(56)から防水用背圧室(32)へのそれ以上の雨水侵入を強力に防止することから、その雨水が遮水凸条(６)と遮水凹条(11)との嵌合面間を通って、建物(23)の屋根壁(24)内に侵入して雨漏りを惹き起こすことを、強力に防止することができる。
【００６３】
［  効果ロ．  防水用背圧室(32)の高くなった室内圧(P1)を保持するための気密保持用構成としては、シール材の組み込みを省略できる分だけ、シール材の部品コストと組付けコストを省略して、その製造コストを引き下げることができる。そのうえ、シール材の材質面からの経年劣化による耐久性の低下をも無くすこともできる。  ］
【００６４】
前記防水用背圧室(32)の室内圧(P1)が雨水の少量の侵入により急速に圧力上昇していく場合において、この室内空気を密封して圧力保持するための気密保持用構成としては、遮水凹条(６)に形成された凸条上部接当用部分(28)と遮水凹条(11)に形成された凹条上部接当用部分(31)との密着接当により構成するので、ゴム製または合成樹脂性のシール材を組み込む必要を無くすことができる。
【００６５】
これにより、防水用背圧室(32)の高くなった室内圧(P1)を保持するための気密保持用構成としては、シール材の組み込みを省略できる分だけ、シール材の部品コストと組付けコストを省略して、その製造コストを引き下げることができる。そのうえ、シール材の材質面からの経年劣化による耐久性の低下を無くすこともできる。
【００６６】
○  請求項２の発明．  図２参照．
この請求項２の発明は、上記請求項１の発明の［効果イ］および［効果ロ］に加えて、つぎの効果を奏する。
【００６７】
［  効果ハ．  遮水凸条(６)の凸条山頂部分(6b)の凸条上部接当用部分(28)と、遮水凹条(11)の凹条谷底部分(11b)の凹条上部接当用部分(31)とは、上下方向に位置ずれしたときでも密着接当面圧が低下することが無いので、防水用背圧室(32)の雨水侵入により圧力上昇した室内圧(P1)を安定良く保持して、上記［効果イ］の雨漏り防止性能を安定良く保持することができる。  ］
【００６８】
請求項２の発明は、つぎの特徴構成を有する。
前記遮水凸条(６)の凸条下辺部分(6a)に凸条下部接当用部分(26)を形成するとともに、この遮水凸条(６)の凸条山頂部分(6b)に凸条上部接当用部分(28)を形成する。  前記遮水凹条(11)の凹条下辺部分(11a)に凹条下部接当用部分(29)を形成するとともに、この遮水凹条(11)の凹条谷底部分(11b)に凹条上部接当用部分(31)を形成した。
【００６９】
この特徴構成から、次のように作用する。
強風雨時や暴風雨時に、強風による吹き付け力や負圧力などにより、屋根板(１)に対してキャップ(３)が上下動させられることがある。
【００７０】
この場合、遮水凸条(６)の凸条山頂部分(6b)の凸条上部接当用部分(28)と、遮水凹条(11)の凹条谷底部分(11b)の凹条上部接当用部分(31)とは、上下方向に位置ずれしたときでも密着接当面圧が低下することが無いので、防水用背圧室(32)の雨水侵入により圧力上昇した室内圧(P1)を安定良く保持して、上記［効果イ］の雨漏り防止性能を安定良く保持することができる。
【００７１】
○  請求項３の発明．  図２参照．
この請求項３の発明は、上記請求項１の発明の［効果イ］および［効果ロ］に加えて、つぎの効果を奏する。
【００７２】
［  効果ニ．  強風雨時に雨水は、スカート下端縁(13)と屋根板(１)との弾圧接当により遮断されるうえ、緩衝空間(14)内での急膨張で失速させられるので、前記下側密着接当箇所(56)に到達する雨水到達量が非常に少なくなるうえ、流速も大幅に低下することにより、下側密着接当箇所(56)を突き破って防水用背圧室(32)に侵入する雨水量が大幅に低減する分だけ、防水用背圧室(32)に到るまでの防水性能が向上する。  ］
【００７３】
この請求項３の発明は、つぎの特徴構成を有する。
前記キャップ(３)の左右の各側板(10)の各遮水凹条(11)から各スカート(12)を横外側下方位置にまで延出させて、スカート(12)の下端縁(13)を屋根板(１)に弾圧接当させる。このスカート(12)と屋根板(１)と立上り連結縁(４)とで取り囲まれた内部に緩衝空間(14)を形成する。
【００７４】
前記スカート(12)の下端縁(13)と屋根板(１)との弾圧接当の反力で、屋根板(１)に対してスカート(12)を介して遮水凹条(11)を押し上げて、この遮水凹条(11)の凹条下部接当用部分(29)を遮水凸条(６)の凸条下部接当用部分(26)に弾圧接当させる。
【００７５】
この特徴構成から、次のように作用する。
強風雨時や暴風雨時に、雨水は強風で屋根板(１)上を勢い良く吹き流されるが、スカート(12)の下端縁(13)と屋根板(１)との弾圧接当により遮断されて、スカート(12)内への侵入量が大幅に制限されて少なくなるうえ、緩衝空間(14)内での急膨張で失速させられるので、遮水凸条(６)と遮水凹条(11)との嵌合面間の前記下側密着接当箇所(56)に到達する雨水到達量が非常に少なくなるうえ、流速も大幅に低下して勢いが弱くなっている。
【００７６】
これにより、この少量で勢いの弱い到達雨水は、前記下側密着接当箇所(56)を突き破って防水用背圧室(32)に侵入する雨水量が大幅に低減する分だけ、防水用背圧室(32)に到るまでの防水性能が向上して、雨漏り防止性能を高めることができる。
【００７７】
○  請求項４の発明．  図２参照．
この請求項４の発明は、上記請求項１の発明の［効果イ］・［効果ロ］、および請求項２の発明の［効果ハ］に加えて、つぎの効果を奏する。
【００７８】
［  効果ホ．  凸条上辺部分(6c)と凹条上辺部分(11c)とが接当しない分だけ、凸条下部接当用部分(26)と凹条下部接当用部分(29)との接当面圧も、凸条上部接当用部分(26)と凹条上部接当用部分(31)との接当面圧も、ともに乱されることなく適正面圧に安定良く保持されるので、前記防水用背圧室(32)の防水性能の防水精度を高めることができる。  ］
【００７９】
請求項４の発明は、つぎの特徴構成を有する。
前記遮水凸条(６)の凸条上辺部分(6c)に対して前記遮水凹条(11)の凹条上辺部分(11c)を離間用隙間(33)を空けて接当させないように構成した。
【００８０】
この特徴構成から、次のように作用する。
凸条上辺部分(6c)と凹条上辺部分(11c)とが接当しない分だけ、凸条下部接当用部分(26)と凹条下部接当用部分(29)との接当面圧も、凸条上部接当用部分(26)と凹条上部接当用部分(31)との接当面圧も、ともに乱されることなく適正面圧に安定良く保持されるので、前記防水用背圧室(32)の防水性能の防水精度を高めることができる。
【００８１】
○  請求項５の発明．  図６参照．
この請求項５の発明は、上記請求項１の発明の［効果イ］および［効果ロ］に加えて、つぎの効果を奏する。
【００８２】
［  効果ヘ．  図６に例示するように立上り連結縁(４)の連結縁下部(15)が傾斜する分だけ、図２に示す連結縁下部(15)が垂直となるものと比べて、屋根板(１)の有効横幅を拡大させて、建物(23)の屋根壁(24)への屋根板(１)の敷設枚数を減らすことができる。  ］
【００８３】
請求項５の発明は、つぎの特徴構成を有する。
前記屋根板(１)の立上り連結縁(４)において、その連結縁下部(15)・連結縁中間高さ部(16)および連結縁上部(17)のうちの連結縁下部(15)は、これの上端部(15a)から下端部(15b)に近づくにつれて吊子(２)の横側面から次第に離れていく傾斜状に形成した。
【００８４】
この特徴構成から、次のように作用する。
図６に例示するように立上り連結縁(４)の連結縁下部(15)が傾斜する分だけ、図２に示す連結縁下部(15)が垂直となるものと比べて、屋根板(１)の有効横幅を拡大させて、建物(23)の屋根壁(24)への屋根板(１)の敷設枚数を減らすことができる。
【００８５】
○  請求項６の発明．  図２参照．
この請求項６の発明は、上記請求項１の発明の［効果イ］および［効果ロ］に加えて、つぎの効果を奏する。
【００８６】
［  効果ト．  キャップ(３)は屋根板(１)および吊子(２)に対して、遮水凹条(11)と遮水凸条(６)との嵌合により外れ止めされるのに加えて、被抜止め条(19)の抜止め条(18)での受け止めによっても余分に外れ止めされる分だけ、このキャップ(３)が屋根板(１)および吊子(２)から外乱力で外れ出すことを、強力に防止することができる。  ］
【００８７】
請求項６の発明は、つぎの特徴構成を有する。
前記吊子(２)の上半部の左右両側部に左右一対の各抜止め条(18)を形成する。前記キャップ(３)の左右一対の各側板(10)に各被抜止め条(19)を形成する。この各被抜止め条(19)を各抜止め条(18)で上から受け止めるように構成した。
【００８８】
この特徴構成から、次のように作用する。
キャップ(３)は、強風・暴風による負圧吸い上げ力やその他の外乱力で引き上げられようとして、屋根板(１)および吊子(２)から外れ出そうとすることがある。
【００８９】
このとき、キャップ(３)は屋根板(１)および吊子(２)に対して、遮水凹条(11)と遮水凸条(６)との嵌合により外れ止めされるのに加えて、被抜止め条(19)の抜止め条(18)での受け止めによっても余分に外れ止めされる分だけ、このキャップ(３)が屋根板(１)および吊子(２)から外乱力で外れ出すことを、強力に防止することができる。
【００９０】
○  請求項７の発明．  図２参照．
この請求項７の発明は、上記請求項１の発明の［効果イ］・［効果ロ］、請求項２の発明の［効果ハ］、および請求項６の発明の［効果ト］に加えて、つぎの効果を奏する。
【００９１】
［  効果チ．  キャップ(３)の被抜止め条(19)の横内側面(19a)は吊子(２)の抜止め条(18) の横側面(18a)に対して左右方向へ自由に移動できることから、遮水凸条(６)の凸条上部接当用部分(28)に遮水凹条(11)の凹条上部接当用部分(31)を充分強力に接当させることができるので、凸条上部接当用部分(28)と凹条上部接当用部分(31)との接当による封止性能を充分高く保持して、防水用背圧室(32)の防水性能を高めることができる。  ］
【００９２】
この請求項７の発明は、つぎの特徴構成を有する。
前記遮水凸条(６)の凸条上部接当用部分(28)と遮水凹条(11)の凹条上部接当用部分(31)とが、前記凸条山頂部分(6b)と前記凹条谷底部分(11b)で接当している構成に対して、
前記吊子(２)の各抜止め条(18)の各横外側面(18a)と前記キャップ(３)の各側板(10)の各被抜止め条(19)の各横内側面(19a)とは、左右方向への遊動許容隙間(34)を隔てて対面させて、左右方向へ相対移動可能に構成した。
【００９３】
この特徴構成から、次のように作用する。
キャップ(３)の側板(10)の被抜止め条(19)の横内側面(19a)は、吊子(２)の抜止め条(18)の横側面(18a)に対して左右方向へ自由に移動できることから、遮水凸条(６)の凸条山頂部(6b)の凸条上部接当用部分(28)に遮水凹条(11)の凹条谷底部分(11b)の凹条上部接当用部分(31)を充分強力に接当させることができる。
これにより、凸条上部接当用部分(28)と凹条上部接当用部分(31)との接当による封止性能を充分高く保持して、防水用背圧室(32)の防水性能を高めることができる。
【００９４】
○  請求項８の発明．  図７参照．
この請求項８の発明は、上記請求項１の発明の［効果イ］および［効果ロ］を奏する。
【００９５】
○  請求項９の発明．  図８参照．
この請求項９の発明は、上記請求項１の発明の［効果イ］・［効果ロ］、および請求項２の発明の［効果ハ］に加えて、つぎの効果を奏する。
【００９６】
［  効果リ．  上位防水用背圧室(39)は、防水用背圧室(32)と同様の防水効果を奏するうえ、この防水用背圧室(32)をバックアップして、この防水用背圧室(32)の防水性能を一層高めることから、上記［効果イ．防水用背圧室(32)内の室内圧(P1)の急速な圧力上昇による雨漏り防止効果］を、更に強化する。  ］
【００９７】
請求項９の発明は、つぎの特徴構成を有する。
前記遮水凸条(６)の凸条上辺部分(6c)は、下から順に凸条上位離間用部分(35)および凸条上位接当用部分(36)を連続状に形成して成る。
前記キャップ(３)の側板(10)の遮水凹条(11)の凹条上辺部分(11c)は、下から順に凹条上位離間用部分(37)および凹条上位接当用部分(38)を連続状に形成して成る。
【００９８】
前記遮水凸条(６)の凸条上位接当用部分(36)に前記遮水凹条(11)の凹条上位接当用部分(38)を密着接当させる。遮水凸条(６)の凸条上位離間用部分(35)に対して遮水凹条(11)の凹条上位離間用部分(37)を離間させて、この離間空間を上位防水用背圧室(39)として形成する。
【００９９】
この上位防水用背圧室(39)の室下端部(39a)は前記凸条上部接当用部分(28)と凹条上部接当用部分(31)との密着接当により閉止するとともに、この上位防水用背圧室(39)の室上端部(39b)は前記凸条上位接当用部分(36)と凹条上位接当用部分(38)との密着接当により閉止するように構成した。
【０１００】
この特徴構成から、次のように作用する。
前記上位防水用背圧室(39)は、上記［効果イ］で述べた防水用背圧室(32)と同様の防水効果を奏するうえ、この防水用背圧室(32)をバックアップして、この防水用背圧室(32)の防水性能を一層高めることから、上記［効果イ．防水用背圧室(32)内の室内圧(P1)は、ごく少量の雨水の侵入によって急速に圧力上昇して、下側密着接当箇所(56)から防水用背圧室(32)へのそれ以上の雨水侵入を強力に防止することから、雨漏りを強力に防止する効果］を、更に強化することができる。
【０１０１】
○  請求項１０の発明．  図１０参照．
この請求項１０の発明は、上記請求項１の発明の［効果イ］・［効果ロ］および請求項３の発明の［効果ニ］に加えて、つぎの効果を奏する。
【０１０２】
［  効果ヌ．  屋根板(１)上を流れる雨水が、緩衝空間(14)内に溜まっている塵埃を塵埃流出用隙間(21)から外側へ洗い流して行くことにより、緩衝空間(14)内に蓄積した塵埃とこれに吸収された雨水とで屋根板(１)が腐食され出すことを解消する。  ］
【０１０３】
請求項１０の発明は、つぎの特徴構成を有する。
請求項３に記載の構成のうちの、前記スカート(12)の下端縁(13)を前記屋根板(１)に弾圧接当させる構成に代えて、
このスカート(12)の下端縁(13)を屋根板(１)から塵埃流出用隙間(21)を空けて浮かせて位置させ、この塵埃流出用隙間(21)の寸法は前記緩衝空間(14)の高さの１／３以下の狭い寸法に設定し、  この狭い塵埃流出用隙間(21)を介して緩衝空間(14)を屋根板(１)上の外部空間(22)に連通させて構成した。
【０１０４】
この特徴構成から、次のように作用する。
外部の塵埃が風に吹かれて、塵埃流出用隙間(21)からスカート(12)内の緩衝空間(14)内に入り込み、ここに溜まろうとする。
【０１０５】
雨が降ったときに、屋根板(１)上を流れる雨水の一部が、塵埃流出用隙間(21)からスカート(12)内の緩衝空間(14)内に流れ込み、ここに溜まっている塵埃を塵埃流出用隙間(21)から外側へ洗い流して行く。
これにより、緩衝空間(14)内に塵埃が蓄積していくことが無くなり、ここに蓄積した塵埃とこれに吸収された雨水とで屋根板(１)が腐食され出すことを解消して、この屋根板(１)の耐久性を高めることができる。
【０１０６】
○  請求項１１の発明．  図１３参照．
この請求項１１の発明は、上記請求項１の発明の［効果イ］および［効果ロ］に加えて、つぎの効果を奏する。
【０１０７】
［  効果ル．  屋根板(１)の遮水凸条(６)は吊子(２)の係止凸条(46)に確りと固定されることから、この遮水凸条(６)の凸条下部接当用部分(26)・凸条上部接当用部分(28)と、遮水凹条(11)の凹条下部接当用部分(29)・凹条上部接当用部分(31)との各接当面圧を高く保持して、前記防水用背圧室(32)の防水性能を一層高める。  ］
【０１０８】
この請求項１１の発明は、つぎの特徴構成を有する。
前記吊子(２)の中間高さ部分に左右一対の各係止凸条(46)を左右両横外側へ向けて凸設する。  この吊子(２)の中間高さ部分の左右の各係止凸条(46)に前記屋根板(１)の左右の立上り連結縁(４)の各遮水凸条(６)を嵌合させて構成した。
【０１０９】
この特徴構成から、次のように作用する。
屋根板(１)の立上り連結縁(４)の遮水凸条(６)は、吊子(２)の係止凸条(46)に受け止められて確りと固定されることから、この遮水凸条(６)の凸条下部接当用部分(26)および凸条上部接当用部分(28)と、遮水凹条(11)の凹条下部接当用部分(29)および凹条上部接当用部分(31)との各接当面圧を高く保持して、前記防水用背圧室(32)の防水性能を一層高めることができる。
【０１１０】
［  効果オ．  キャップ(３)が外乱力により浮上させられようとしたときに、この浮上力が遮水凹条(11)の凹条下辺部分(11a)から遮水凸条(６)の凸条下辺部分(6a)を介して吊子(２)の係止凸条(46)に吸収される分だけ、キャップ(３)の屋根板(１)および吊子(２)からの外れ出し防止力を強化することができる。  ］
【０１１１】
○  請求項１２の発明．  図１３参照．
この請求項１２の発明は、上記請求項１の発明の［効果イ］・［効果ロ］、および請求項１１の発明の［効果ル］・［効果オ］に加えて、つぎの効果を奏する。
【０１１２】
［  効果ワ．  吊子(２)の左右の各係止凸条(46)の頂角(Θ1)が鋭角となる分だけ、キャップ(３)の外乱力による浮上力が、遮水凹条(11)の凹条下辺部分(11a)から遮水凸条(６)の凸条下辺部分(6a)を介して吊子(２)の係止凸条(46)に吸収される割合が高まるので、キャップ(３)の屋根板(１)および吊子(２)からの外れ出し防止力を更に強化する。  ］
【０１１３】
請求項１２の発明は、つぎの特徴構成を有する。
前記吊子(２)の左右の各係止凸条(46)は横外向きの頂角(Θ1)が鋭角となる鋭角三角形状に形成する。この各係止凸条(46)の斜め上向き斜面(47)と斜め下向き斜面(48)とに、前記屋根板(１)の左右の各遮水凸条(６)の凸条上辺部分(6c)と凸条下辺部分(6a)とを嵌合させて構成した。
【０１１４】
この特徴構成から、次のように作用する。
吊子(２)の左右の各係止凸条(46)の頂角(Θ1)が鋭角となる分だけ、キャップ(３)の外乱力による浮上力が、遮水凹条(11)の凹条下辺部分(11a)から遮水凸条(６)の凸条下辺部分(6a)を介して吊子(２)の係止凸条(46)に吸収される割合が高まるので、キャップ(３)の屋根板(１)および吊子(２)からの外れ出し防止力を更に強化することができる。
【０１１５】
○  請求項１３の発明．  図２０参照．
この請求項１３の発明は、上記請求項１の発明の［効果イ］および［効果ロ］に加えて、つぎの効果を奏する。
【０１１６】
［  効果カ．  強風により立上り連結縁(４)に沿って吹き上げられて来た雨水が、雨水上昇反転空間(51)にまで上昇してから反転して落下し、雨水出入り隙間(52)から屋根板(１)上へ落下していくため、この雨水は立上り連結縁(４)の遮水凸条(６)とキャップ(３)の遮水凹条(11)との嵌合密着接当面間に強く押し込まれていくことが無くなるので、雨風の強いときでも、雨水が屋根板(１)(１)同士間の連結部から建物(23)の屋根壁(24)内へ雨漏りすることを、強力に防止する。  ］
【０１１７】
請求項１３の発明は、つぎの特徴構成を有する。
前記屋根板(１)の左右の各遮水凸条(６)は、左右の各立上り連結縁(４)の上端縁から屋根板(１)側へ折り下げて形成する。  この各立上り連結縁(４)と各遮水凸条(６)との間に、雨水上昇反転空間(51)と雨水出入り隙間(52)とを上下に並べて形成する。
【０１１８】
屋根板(１)上の雨水の一部は、風により立上り連結縁(４)側に吹き込まれて来たときに、立上り連結縁(４)に沿って吹き上げられて、雨水出入り隙間(52)から雨水上昇反転空間(51)にまで上昇してから反転して落下し、雨水出入り隙間(52)から屋根板(１)上へ落下して行くように構成した。
【０１１９】
この特徴構成から、次のように作用する。
屋根板(１)上の雨水の一部は、強風により立上り連結縁(４)側に吹き込まれて来たときに、立上り連結縁(４)に沿って吹き上げられてきた雨水が、雨水出入り隙間(52)から雨水上昇反転空間(51)にまで上昇してから反転して落下し、雨水出入り隙間(52)から屋根板(１)上へ落下して行くことから、この雨水は立上り連結縁(４)の遮水凸条(６)とキャップ(３)の遮水凹条(11)との嵌合密着接当面間を上向きに通過しなくなるので、雨風の強いときでも、雨水が屋根板(１)(１)同士間の連結部から建物(23)の屋根壁(24)へ雨漏りすることを、強力に防止することができる。
【発明を実施するための最良の形態】
【０１２０】
以下、本発明の縦葺き型金属屋根板同士間の防水連結構造の実施の形態を、図面に基づき説明する。
【０１２１】
○  実施形態１．  請求項１・２・３・４・６・７．  図１−５図参照．
図１−図５は本発明の縦葺き型金属屋根板同士間の防水連結構造の実施形態１を示す。図１は要部取出し斜視図である。図２（Ａ）は要部の縦断正面図。図２（Ｂ）は図２（Ａ）のＢ部拡大図。図３は図２のIII−III線断面矢視図。図４は図２（Ａ）の分解正面図。図５は建物の屋根壁に金属板製屋根板を取り付けていく途中の一部の斜視図である。
【０１２２】
縦葺き型金属屋根板同士間の防水連結構造は、金属板製の屋根板(１)と、吊子(２)と、キャップ(３)とを備える。
屋根板(１)には、その左右の各側縁を折り上げて左右の各立上り連結縁(４)を形成する。この立上り連結縁(４)の上部に被係留部(５)を形成する。この立上り連結縁(４)の中間高さ部に遮水凸条(６)を屋根板(１)側へ膨曲させて形成する。  吊子(２)は断面形状が箱型に形成される。この吊子(２)の下部には建物(23)の屋根壁(24)へ固定されるベース部(７)を形成し、その上部には左右一対の係留部(８)を形成する。
【０１２３】
キャップ(３)には、その天板(９)の左右両側縁から左右一対の各側板(10)を折り下げて形成する。この左右の各側板(10)に内向きの遮水凹条(11)を横外向きに膨曲させる。  吊子(２)の左右の各横外側部に左右の両屋根板（１）（１）の各立上り連結縁(４)を配置し、各立上り連結縁(４)の被係留部(５)を吊子(２)の左右の各係留部(８)で上から受け止めるように構成する。  吊子(２)および左右の両立上り連結縁(４)に亘ってキャップ(３)を上から被せつけて、両立上り連結縁(４)の各遮水凸条(６)にキャップ(３)の左右の各遮水凹条(11)を外嵌させる。
【０１２４】
前記屋根板(１)の立上り連結縁(４)の遮水凸条(６)には、下から順に凸条下部接当用部分(26)・凸条中間部離間用部分(27)・および凸条上部接当用部分(28)を連続状に形成して成る。  前記キャップ(３)の側板(10)の遮水凹条(11)には、下から順に凹条下部接当用部分(29)・凹条中間部離間用部分(30)・および凹条上部接当用部分(31)を連続状に形成して成る。  前記遮水凸条(６)の凸条下部接当用部分(26)に前記遮水凹条(11)の凹条下部接当用部分(29)を密着接当させる。遮水凸条(６)の凸条上部接当用部分(28)に遮水凹条(11)の凹条上部接当用部分(31)を密着接当させる。
【０１２５】
前記遮水凸条(６)の凸条中間部離間用部分(27)に対して遮水凹条(11)の凹条中間部離間用部分(30)を離間させて、この離間空間を防水用背圧室(32)として形成する。  この防水用背圧室(32)の室下端部(32a)は前記凸条下部接当用部分(26)と凹条下部接当用部分(29)との密着接当により閉止するとともに、この防水用背圧室(32)の室上端部(32ｂ)は前記凸条上部接当用部分(28)と凹条上部接当用部分(31)との密着接当により閉止するように構成した。
【０１２６】
前記遮水凸条(６)の凸条下辺部分(6a)に凸条下部接当用部分(26)を形成するとともに、この遮水凸条(６)の凸条山頂部分(6b)に凸条上部接当用部分(28)を形成する。  前記遮水凹条(11)の凹条下辺部分(11a)に凹条下部接当用部分(29)を形成するとともに、この遮水凹条(11)の凹条谷底部分(11b)に凹条上部接当用部分(31)を形成した。
【０１２７】
前記キャップ(３)の左右の各側板(10)の各遮水凹条(11)から各スカート(12)を横外側下方位置にまで延出させて、スカート(12)の下端縁(13)を屋根板(１)に弾圧接当させる。このスカート(12)と屋根板(１)と立上り連結縁(４)とで取り囲まれた内部に緩衝空間(14)を形成する。
【０１２８】
前記スカート(12)の下端縁(13)と屋根板(１)との弾圧接当の反力で屋根板(１)に対してスカート(12)を介して遮水凹条(11)を押し上げて、この遮水凹条(11)の凹条下部接当用部分(29)を遮水凸条(６)の凸条下部接当用部分(26)に弾圧接当させる。
前記遮水凸条(６)の凸条上辺部分(6c)に対して前記遮水凹条(11)の凹条上辺部分(11c)を離間用隙間(33)を空けて接当させないように構成した。
【０１２９】
前記吊子(２)の上半部の左右両側部に左右一対の各抜止め条(18)を形成する。前記キャップ(３)の左右一対の各側板(10)のうちの前記遮水凹条(11)よりも上の板部分に各被抜止め条(19)を形成する。この各被抜止め条(19)を各抜止め条(18)で上から受け止めるように構成した。
【０１３０】
前記遮水凸条(６)の凸条上部接当用部分(28)と遮水凹条(11)の凹条上部接当用部分(31)とが、前記凸条山頂部分(6b)と前記凹条谷底部分(11b)で接当している構成に対して、
前記吊子(２)の各抜止め条(18)の各横外側面(18a)と前記キャップ(３)の各側板(10)の各被抜止め条(19)の各横内側面(19a)とは、左右方向への遊動許容隙間(34)を隔てて対面させて、左右方向へ相対移動可能に構成した。
【０１３１】
図２・図３・図４において、符号(41)は吊子固定ボルト、(42)はボルト挿入孔、(43)は挿通孔である。この吊子固定ボルト(41)は、吊子(２)のベース部(７)を建物(23)の屋根壁(24)に固定するものである。
【０１３２】
○  実施形態２．  請求項１・２・３・４・５・６・７．  図６参照．
図６（Ａ）は本発明の実施形態２を示す、縦葺き型金属屋根板同士間の防水連結構造の要部の縦断正面図。図６（Ｂ）は図６（Ａ）のＢ部拡大図である。
この実施形態２は、上記実施形態１（図１−図５）の構成において、その一部を次のように変更したものである。
【０１３３】
前記屋根板(１)の立上り連結縁(４)において、その連結縁下部(15)・連結縁中間高さ部(16)および連結縁上部(17)のうちの連結縁下部(15)は、これの上端部(15a)から下端部(15b)に近づくにつれて吊子(２)の横側面から次第に離れていく傾斜状に形成したものである。
【０１３４】
○  実施形態３．  請求項１・８．  図７参照．
図７は本発明の実施形態３を示し、縦葺き型金属屋根板同士間の防水連結構造の遮水凸条６および遮水凹条１１の嵌合部分の拡大図であり、図２（Ｂ）に対応する図である。
この実施形態３は、上記実施形態１（図１−図５）の構成において、その一部を次のように変更したものである。
【０１３５】
前記遮水凸条(６)の凸条下辺部分(6a)に凸条下部接当用部分(26)を形成するとともに、この遮水凸条(６)の凸条上辺部分(6c)に凸条上部接当用部分(28)を形成する。  前記遮水凹条(11)の凹条下辺部分(11a)に凹条下部接当用部分(29)を形成するとともに、この遮水凹条(11)の凹条上辺部分(11c)に凹条上部接当用部分(31)を形成した。これにより、前記防水用背圧室(32)は中折れ状に形成したものである。
【０１３６】
○  実施形態４．  請求項１・２・９．  図８参照．
図８は本発明の実施形態４を示し、縦葺き型金属屋根板同士間の防水連結構造の遮水凸条６および遮水凹条１１の嵌合部分の拡大図であり、図２（Ｂ）に対応する図である。
この実施形態４は、上記実施形態１（図１−図５）の構成において、その一部をつぎのように変更したものである。
【０１３７】
前記遮水凸条(６)の凸条上辺部分(6c)は、下から順に凸条上位離間用部分(35)および凸条上位接当用部分(36)を連続状に形成して成る。  前記キャップ(３)の側板(10)の遮水凹条(11)の凹条上辺部分(11c)は、下から順に凹条上位離間用部分(37)および凹条上位接当用部分(38)を連続状に形成して成る。
【０１３８】
前記遮水凸条(６)の凸条上位接当用部分(36)に前記遮水凹条(11)の凹条上位接当用部分(38)を密着接当させる。遮水凸条(６)の凸条上位離間用部分(35)に対して遮水凹条(11)の凹条上位離間用部分(37)を離間させて、この離間空間を上位防水用背圧室(39)として形成する。
【０１３９】
この上位防水用背圧室(39)の室下端部(39a)は前記凸条上部接当用部分(28)と凹条上部接当用部分(31)との密着接当により閉止するとともに、この上位防水用背圧室(39)の室上端部(39b)は前記凸条上位接当用部分(36)と凹条上位接当用部分(38)との密着接当により閉止するように構成したものである。
【０１４０】
○  実施形態５．  請求項１・２・３・４・６・７．  図９参照．
図９（Ａ）は本発明の実施形態５を示す、縦葺き型金属屋根板同士間の防水連結構造の要部の縦断正面図。図９（Ｂ）は図９（Ａ）のＢ部拡大図である。
この実施形態５は、上記実施形態１（図１−図５）の構成において、その一部を次のように変更したものである。
【０１４１】
前記キャップ(３)の天板(９)と左右の各側板(10)との間に、曲率半径の大きな各大径円弧凸条(20)を介在させる。この大径円弧凸条(20)は天板(９)に対する両側板(10)の開閉揺動方向の最大弾性変形寸法を拡大するように構成する。
図中、符号(44)はアルミ合金製のキャップ受け具である。このキャップ受け具(44)は、吊子(２)と組となり、この吊子(２)上に載せられて、キャップ(３)の天板(９)を受け止めることにより、キャップ(３)の組付け時の変形を防止するものである。
【０１４２】
○  実施形態６．  請求項１・２・６・７・１０．  図１０参照．
図１０（Ａ）は本発明の実施形態６を示す、縦葺き型金属屋根板同士間の防水連結構造の要部の縦断正面図。図１０（Ｂ）は図１０（Ａ）のＢ部拡大図である。
この実施形態６は、上記実施形態１（図１−図５）の構成において、この実施形態１の構成のうちの、「前記スカート(12)の下端縁(13)を前記屋根板(１)に弾圧接当させる構成」を、次のように変更する。
【０１４３】
このスカート(12)の下端縁(13)を屋根板(１)から塵埃流出用隙間(21)を空けて浮かせて位置させる。この塵埃流出用隙間(21)の寸法は前記緩衝空間(14)の高さの１／３以下の狭い寸法に設定する。この狭い塵埃流出用隙間(21)を介して緩衝空間(14)を屋根板(１)上の外部空間(22)に連通させる。
前記遮水凹条(11)の凹条上辺部分(11c)は、前記遮水凸条(６)の凸条上辺部分(6c)に弾圧接当させる。この弾圧接当の反力で、前記凹条下部接当用部分(29)を前記凸条下部接当用部分(26)に密着接当させたものである。
【０１４４】
○  実施形態７．  請求項１・２・６・７．  図１１参照．
図１１（Ａ）は本発明の実施形態７を示す、縦葺き型金属屋根板同士間の防水連結構造の要部の縦断正面図。図１１（Ｂ）は図１１（Ａ）のＢ部拡大図である。
この実施形態７は、上記実施形態６（図１０）の構成において、その一部を次のように変更したものである。
【０１４５】
前記キャップ(３)の天板(９)と左右の各側板(10)との間に、曲率半径の大きな各大径円弧凸条(20)を介在させる。この大径円弧凸条(20)は天板(９)に対する両側板(10)の開閉揺動方向の最大弾性変形寸法を拡大するように構成する。
図中、符号(44)はアルミ合金製のキャップ受け具である。このキャップ受け具(44)は、吊子(２)と組となり、この吊子(２)上に載せられて、キャップ(３)の天板(９)を受け止めることにより、キャップ(３)の組付け時の変形を防止するものである。
【０１４６】
○  実施形態８．  請求項１・２・３・４・１１・１２．  図１２−図１５参照．
図１２−図１５は本発明の縦葺き型金属屋根板同士間の防水連結構造の実施形態８を示す。図１２は要部取出し斜視図である。図１３（Ａ）は要部の縦断正面図。図１３（Ｂ）は図１３（Ａ）のＢ部拡大図。図１４は図２のXIV−XIV線断面矢視図。図１５は図１３（Ａ）の分解正面図である。
【０１４７】
この実施形態８は、上記実施形態１（図１−図５）の構成において、その一部を次のように変更したものである。
【０１４８】
前記吊子(２)は断面形状がＩ形に形成される。吊子(２)の中間高さ部分に左右一対の各係止凸条(46)を左右両横外側へ向けて凸設する。  この吊子(２)の中間高さ部分の左右の各係止凸条(46)に前記屋根板(１)の左右の立上り連結縁(４)の各遮水凸条(６)を嵌合させて構成した。
【０１４９】
前記吊子(２)の左右の各係止凸条(46)は横外向きの頂角(Θ1)が鋭角となる鋭角三角形状に形成する。この各係止凸条(46)の斜め上向き斜面(47)と斜め下向き斜面(48)とに、前記屋根板(１)の左右の各遮水凸条(６)の凸条上辺部分(6c)と凸条下辺部分(6a)とを嵌合させて構成したものである。
【０１５０】
○  実施形態９．  請求項１・２・５・１１・１２．  図１６参照．
図１６（Ａ）は本発明の実施形態９を示す、縦葺き型金属屋根板同士間の防水連結構造の要部の縦断正面図。図１６（Ｂ）は図１６（Ａ）のＢ部拡大図である。
この実施形態９は、上記実施形態８（図１２−図１５）の構成において、その一部を次のように変更したものである。
【０１５１】
前記屋根板(１)の立上り連結縁(４)において、その連結縁下部(15)・連結縁中間高さ部(16)および連結縁上部(17)のうちの連結縁下部(15)は、これの上端部(15a)から下端部(15b)に近づくにつれて吊子(２)の横側面から次第に離れていく傾斜状に形成したものである。
【０１５２】
○  実施形態１０．  請求項１・２・３・４・１１・１２．  図１７参照．
図１７（Ａ）は本発明の実施形態１０を示す、縦葺き型金属屋根板同士間の防水連結構造の要部の縦断正面図。図１７（Ｂ）は図１７（Ａ）のＢ部拡大図である。
この実施形態１０は、上記実施形態８（図１２−図１５）の構成において、その一部を次のように変更したものである。
【０１５３】
前記吊子(２)の断面形状は、Ｉ形から箱形に変更したものである。
【０１５４】
○  実施形態１１．  請求項１・２・１１・１２．  図１８参照．
図１８（Ａ）は本発明の実施形態１１を示す、縦葺き型金属屋根板同士間の防水連結構造の要部の縦断正面図。図１８（Ｂ）は図１８（Ａ）のＢ部拡大図である。
この実施形態１１は、上記実施形態８（図１２−図１５）の構成において、この実施形態８の構成のうちの、「前記スカート(12)の下端縁(13)を前記屋根板(１)に弾圧接当させる構成」を、次のように変更する。
【０１５５】
このスカート(12)の下端縁(13)を屋根板(１)から塵埃流出用隙間(21)を空けて浮かせて位置させる。この塵埃流出用隙間(21)の寸法は前記緩衝空間(14)の高さの１／３以下の狭い寸法に設定する。この狭い塵埃流出用隙間(21)を介して緩衝空間(14)を屋根板(１)上の外部空間(22)に連通させる。
前記遮水凹条(11)の凹条上辺部分(11c)は、前記遮水凸条(６)の凸条上辺部分(6c)に弾圧接当させる。この弾圧接当の反力で、前記凹条下部接当用部分(29)を前記凸条下部接当用部分(26)に密着接当させる。
【０１５６】
前記キャップ(３)の天板(９)と左右の各側板(10)との間に、曲率半径の大きな各大径円弧凸条(20)を介在させる。この大径円弧凸条(20)は天板(９)に対する両側板(10)の開閉揺動方向の最大弾性変形寸法を拡大するように構成する。
図中、符号(44)はアルミ合金製のキャップ受け具である。このキャップ受け具(44)は、吊子(２)と組となり、この吊子(２)上に載せられて、キャップ(３)の天板(９)を受け止めることにより、キャップ(３)の組付け時の変形を防止するものである。
【０１５７】
○  実施形態１２．  請求項１・２・３・４・１３．  図１９−図２２参照．
図１９−図２２は本発明の縦葺き型金属屋根板同士間の防水連結構造の実施形態１２を示す。図１９は要部取出し斜視図である。図２０（Ａ）は要部の縦断正面図。図２０（Ｂ）は図２０（Ａ）のＢ部拡大図。図２１は図２０のXXI−XXI線断面矢視図。図２２は図２０（Ａ）の分解正面図である。
【０１５８】
この実施形態１２は、上記実施形態１（図１−図５）の構成において、その一部を次のように変更したものである。
【０１５９】
前記屋根板(１)の左右の各遮水凸条(６)は、左右の各立上り連結縁(４)の上端縁の被係留部(５)から屋根板(１)側へ折り下げて形成する。この各立上り連結縁(４)と各遮水凸条(６)との間に、雨水上昇反転空間(51)と雨水出入り隙間(52)とを上下に並べて形成する。
屋根板(１)上の雨水の一部は、風により立上り連結縁(４)側に吹き込まれて来たときに、立上り連結縁(４)に沿って吹き上げられて、雨水出入り隙間(52)から雨水上昇反転空間(51)にまで上昇してから反転して落下し、雨水出入り隙間(52)から屋根板(１)上へ落下して行くように構成したものである。
【０１６０】
○  実施形態１３．  請求項１・２・３・４・５・１３．  図２３参照．
図２３（Ａ）は本発明の実施形態１３を示す、縦葺き型金属屋根板同士間の防水連結構造の要部の縦断正面図。図２３（Ｂ）は図２３（Ａ）のＢ部拡大図である。
この実施形態１３は、上記実施形態１２（図１９−図２２）の構成において、その一部を次のように変更したものである。
【０１６１】
前記屋根板(１)の立上り連結縁(４)において、その連結縁下部(15)・連結縁中間高さ部(16)および連結縁上部(17)のうちの連結縁下部(15)は、これの上端部(15a)が吊子(２)の横側面に接当するとともに、これの下端部(15b)が吊子(２)の横側面から次第に離れていく傾斜状に形成したものである。
【０１６２】
○  実施形態１４．  請求項１・２・１０・１３．  図２４参照．
図２４（Ａ）は本発明の実施形態１４を示す、縦葺き型金属屋根板同士間の防水連結構造の要部の縦断正面図。図２４（Ｂ）は図２４（Ａ）のＢ部拡大図である。
この実施形態１４は、上記実施形態１２（図１９−図２２）の構成において、この実施形態１２の構成のうちの、「前記スカート(12)の下端縁(13)を前記屋根板(１)に弾圧接当させる構成」を、次のように変更する。
【０１６３】
このスカート(12)の下端縁(13)を屋根板(１)から塵埃流出用隙間(21)を空けて浮かせて位置させる。この塵埃流出用隙間(21)の寸法は前記緩衝空間(14)の高さの１／３以下の狭い寸法に設定する。この狭い塵埃流出用隙間(21)を介して緩衝空間(14)を屋根板(１)上の外部空間(22)に連通させる。
前記遮水凹条(11)の凹条上辺部分(11c)は、前記遮水凸条(６)の凸条上辺部分(6c)に弾圧接当させる。この弾圧接当の反力で、前記凹条下部接当用部分(29)を前記凸条下部接当用部分(26)に密着接当させる。
【０１６４】
前記キャップ(３)の天板(９)と左右の各側板(10)との間に、曲率半径の大きな各大径円弧凸条(20)を介在させる。この大径円弧凸条(20)は天板(９)に対する両側板(10)の開閉揺動方向の最大弾性変形寸法を拡大するように構成する。
図中、符号(44)はアルミ合金製のキャップ受け具である。このキャップ受け具(44)は、吊子(２)と組となり、この吊子(２)上に載せられて、キャップ(３)の天板(９)を受け止めることにより、キャップ(３)の組付け時の変形を防止するものである。
【産業上の利用可能性】
【０１６５】
本発明は、マンション・体育館・工場・又は住宅などの建物の屋根壁に使用される縦葺き型金属屋根板同士間の防水連結構造に好適である。
【図面の簡単な説明】
【０１６６】
【図１】図１−図５は本発明の縦葺き型金属屋根板同士間の防水連結構造の実施形態１を示す。図１は要部取出し斜視図である。
【図２】図２（Ａ）は要部の縦断正面図。図２（Ｂ）は図２（Ａ）のＢ部拡大図。
【図３】図２のIII−III線断面矢視図。
【図４】図２（Ａ）の分解正面図。
【図５】建物の屋根壁に金属板製屋根板を取り付けていく途中の一部の斜視図。
【０１６７】
【図６】図６（Ａ）は本発明の実施形態２を示す、縦葺き型金属屋根板同士間の防水連結構造の要部の縦断正面図。図６（Ｂ）は図６（Ａ）のＢ部拡大図。
【図７】本発明の実施形態３を示し、縦葺き型金属屋根板同士間の防水連結構造の遮水凸条６および遮水凹条１１の嵌合部分の拡大図であり、図２（Ｂ）に対応する図である。
【図８】本発明の実施形態４を示し、縦葺き型金属屋根板同士間の防水連結構造の遮水凸条６および遮水凹条１１の嵌合部分の拡大図であり、図２（Ｂ）に対応する図である。
【０１６８】
【図９】図９（Ａ）は本発明の実施形態５を示す、縦葺き型金属屋根板同士間の防水連結構造の要部の縦断正面図。図９（Ｂ）は図９（Ａ）のＢ部拡大図。
【図１０】図１０（Ａ）は本発明の実施形態６を示す、縦葺き型金属屋根板同士間の防水連結構造の要部の縦断正面図。図１０（Ｂ）は図１０（Ａ）のＢ部拡大図。
【図１１】図１１（Ａ）は本発明の実施形態７を示す、縦葺き型金属屋根板同士間の防水連結構造の要部の縦断正面図。図１１（Ｂ）は図１１（Ａ）のＢ部拡大図。
【０１６９】
【図１２】図１２−図１５は本発明の縦葺き型金属屋根板同士間の防水連結構造の実施形態８を示す。図１２は要部取出し斜視図である。
【図１３】図１３（Ａ）は要部の縦断正面図。図１３（Ｂ）は図１３（Ａ）のＢ部拡大図。
【図１４】図２のXIV−XIV線断面矢視図。
【図１５】図１３（Ａ）の分解正面図。
【０１７０】
【図１６】図１６（Ａ）は本発明の実施形態９を示す、縦葺き型金属屋根板同士間の防水連結構造の要部の縦断正面図。図１６（Ｂ）は図１６（Ａ）のＢ部拡大図。
【図１７】図１７（Ａ）は本発明の実施形態１０を示す、縦葺き型金属屋根板同士間の防水連結構造の要部の縦断正面図。図１７（Ｂ）は図１７（Ａ）のＢ部拡大図。
【図１８】図１８（Ａ）は本発明の実施形態１１を示す、縦葺き型金属屋根板同士間の防水連結構造の要部の縦断正面図。図１８（Ｂ）は図１８（Ａ）のＢ部拡大図。
【０１７１】
【図１９】図１９−図２２は本発明の縦葺き型金属屋根板同士間の防水連結構造の実施形態１２を示す。図１９は要部取出し斜視図である。
【図２０】図２０（Ａ）は要部の縦断正面図。図２０（Ｂ）は図２０（Ａ）のＢ部拡大図。
【図２１】図２０のXXI−XXI線断面矢視図。
【図２２】図２０（Ａ）の分解正面図。
【０１７２】
【図２３】図２３（Ａ）は本発明の実施形態１３を示す、縦葺き型金属屋根板同士間の防水連結構造の要部の縦断正面図。図２３（Ｂ）は図２３（Ａ）のＢ部拡大図。
【図２４】図２４（Ａ）は本発明の実施形態１４を示す、縦葺き型金属屋根板同士間の防水連結構造の要部の縦断正面図。図２４（Ｂ）は図２４（Ａ）のＢ部拡大図。
【０１７３】
【図２５】従来技術１を示す、縦葺き型金属屋根板同士間の防水連結構造の要部の縦断正面図。
【図２６】従来技術２を示す、縦葺き型金属屋根板同士間の防水連結構造の要部の縦断正面図。
【図２７】従来技術３を示す、縦葺き型金属屋根板同士間の防水連結構造の要部の縦断正面図。
【符号の説明】
【０１７４】
１…金属板製の屋根板．  ２…吊子．  ３…キャップ．  ４…立上り連結縁．  ５…被係留部．  ６…遮水凸条．  ６ａ…凸条下辺部分．  ６ｂ…凸条山頂部分．  ６ｃ…凸条上辺部分．  ７…ベース部．  ８…係留部．  ９…天板．  １０…側板．  １１…遮水凹条．  １１ａ…凹条下辺部分．  １１ｂ…凹条谷底部分．  １１ｃ…凹条上辺部分．  １２…スカート．  １３…下端縁．  １４…緩衝空間．  １５…連結縁下部．  １５ａ…上端部．  １５ｂ…下端部．
【０１７５】
１６…連結縁中間高さ部．  １７…連結縁上部．  １８…抜止め条．  １８ａ…横外側面．  １９…被抜止め条．  １９ａ…横内側面．  ２１…塵埃流出用隙間．  ２２…外部空間．  ２３…建物．  ２４…屋根壁．  ２６…凸条下部接当用部分．  ２７…凸条中間部離間用部分．  ２８…凸条上部接当用部分．  ２９…凹条下部接当用部分．  ３０…凹条中間部離間用部分．  ３１…凹条上部接当用部分．  ３２…防水用背圧室．  ３２ａ…室下端部．  ３２ｂ…室上端部．
【０１７６】
３３…離間用隙間．  ３４…遊動許容隙間．  ３５…凸条上位離間用部分．  ３６…凸条上位接当用部分．  ３７…凹条上位離間用部分．  ３８…凹条上位接当用部分．  ３９…上位防水用背圧室．  ３９ａ…室下端部．  ３９ｂ…室上端部．  ４６…係止凸条．  ４７…斜め上向き斜面．  ４８…斜め下向き斜面．  ５１…雨水上昇反転空間．  ５２…雨水出入り隙間(52)．  Θ１…頂角。
【図１】
2006138083.tif 000003
【図２】
2006138083.tif 000004
【図３】
2006138083.tif 000005
【図４】
2006138083.tif 000006
【図５】
2006138083.tif 000007
【図６】
2006138083.tif 000008
【図７】
2006138083.tif 000009
【図８】
2006138083.tif 000010
【図９】
2006138083.tif 000011
【図１０】
2006138083.tif 000012
【図１１】
2006138083.tif 000013
【図１２】
2006138083.tif 000014
【図１３】
2006138083.tif 000015
【図１４】
2006138083.tif 000016
【図１５】
2006138083.tif 000017
【図１６】
2006138083.tif 000018
【図１７】
2006138083.tif 000019
【図１８】
2006138083.tif 000020
【図１９】
2006138083.tif 000021
【図２０】
2006138083.tif 000022
【図２１】
2006138083.tif 000023
【図２２】
2006138083.tif 000024
【図２３】
2006138083.tif 000025
【図２４】
2006138083.tif 000026
【図２５】
2006138083.tif 000027
【図２６】
2006138083.tif 000028
【図２７】
2006138083.tif 000029